(57)【特許請求の範囲】
【請求項１】
所定の搬送路幅を空けて対向する互いに平行なガイド面の間に紙葉類の搬送路が形成され、前記搬送路幅を空けて対向する互いに平行な接続対象搬送路ガイド面により前記紙葉類の搬送路が形成された一対の接続側搬送ガイドの端部と前記紙葉類の搬送方向の一端部が嵌合する一対の搬送ガイドと、
前記一対の搬送ガイドを、前記一対の接続側搬送ガイドの位置に応じて、前記搬送路幅を保ちつつ前記ガイド面の互いの平行を保ったまま回動可能に支持する支持部と
を有し、
前記一対の搬送ガイドは、前記紙葉類の一方の面をガイドする一面搬送ガイドと前記紙葉類の他方の面をガイドする他面搬送ガイドとの間であり且つ前記搬送方向のほぼ中央部に位置する軸を中心に回動する
紙葉類搬送装置。
【請求項２】
前記一対の搬送ガイドは、前記一面搬送ガイドと前記他面搬送ガイドとが一体に形成されている
請求項１に記載の紙葉類搬送装置。
【請求項３】
前記一対の搬送ガイドは、前記搬送方向の一端部が一の前記接続側搬送ガイドと嵌合し、前記搬送方向の他端部が他の前記接続側搬送ガイドと嵌合する
請求項２に記載の紙葉類搬送装置。
【請求項４】
前記一対の搬送ガイド及び前記支持部を具える紙葉類搬送部を複数有し、
前記紙葉類搬送部は、所定の一方向及び当該一方向とは逆の他方向へ移動可能な他の紙葉類搬送装置に前記一方向に沿って順次配置される複数の前記接続側搬送ガイドに対応させて、前記一方向に沿って順次配置され、
前記一対の搬送ガイドは、複数の前記紙葉類搬送部毎に互いに独立して回動する
請求項３に記載の紙葉類搬送装置。
【請求項５】
前記一方向及び前記他方向における前記一対の搬送ガイドと前記接続側搬送ガイドとの位置が合うよう、前記紙葉類搬送装置と前記他の紙葉類搬送装置との位置合わせをする位置出し部
をさらに有する請求項４に記載の紙葉類搬送装置。
【請求項６】
前記位置出し部は、前記紙葉類搬送装置に対し前記他の紙葉類搬送装置が位置決めされた状態において前記一方向又は前記他方向に沿って所定以上の力が加わった際、前記紙葉類搬送装置に対し前記他の紙葉類搬送装置をスライドさせる
請求項５に記載の紙葉類搬送装置。
【請求項７】
前記紙葉類搬送部には、前記他の紙葉類搬送装置に向かって付勢された位置出し部材が設けられ、
前記他の前記紙葉類搬送装置における、前記位置出し部材と対向する箇所には、前記位置出し部材が係合する窪みが形成されている
請求項６に記載の紙葉類搬送装置。
【請求項８】
前記位置出し部材は、前記他の紙葉類搬送装置に向かう方向とは逆方向に移動可能で回動可能なローラであり、
前記窪みは、前記ローラが嵌り込む窪みである
請求項７に記載の紙葉類搬送装置。
【請求項９】
前記位置出し部材は、前記他の紙葉類搬送装置に向かう方向とは逆方向に移動可能な突起であり、
前記窪みは、前記突起が嵌り込む窪みである
請求項７に記載の紙葉類搬送装置。
【請求項１０】
前記紙葉類搬送部には、第１の磁石が設けられ、
前記他の前記紙葉類搬送装置における、前記第１の磁石と対向する箇所には、前記第１の磁石と吸着する第２の磁石が設けられている
請求項６に記載の紙葉類搬送装置。
【請求項１１】
前記支持部は、前記一対の搬送ガイドを、前記一対の接続側搬送ガイドの位置に応じて、前記一方向及び前記他方向に沿って移動可能に支持する
請求項４に記載の紙葉類搬送装置。
【請求項１２】
所定の搬送路幅を空けて対向する互いに平行な接続対象搬送路ガイド面により紙葉類の搬送路が形成された一対の接続側搬送ガイドと、
前記搬送路幅を空けて対向する互いに平行なガイド面の間に前記紙葉類の搬送路が形成され、前記一対の接続側搬送ガイドの端部と前記紙葉類の搬送方向の一端部が嵌合する一対の搬送ガイドと、
前記一対の搬送ガイドを、前記一対の接続側搬送ガイドの位置に応じて、前記搬送路幅を保ちつつ一対の前記ガイド面の互いの平行を保ったまま回動可能に支持する支持部と
を有し、
前記一対の搬送ガイドは、前記紙葉類の一方の面をガイドする一面搬送ガイドと前記紙葉類の他方の面をガイドする他面搬送ガイドとの間であり且つ前記搬送方向のほぼ中央部に位置する軸を中心に回動する
紙葉類取扱装置。
【発明の詳細な説明】
【技術分野】
【０００１】
本発明は紙葉類搬送装置及び紙葉類取扱装置に関し、例えば、紙幣の入金及び出金の取引を行う現金自動取引装置（ATM：Automatic Teller Machine）及び当該現金自動取引装置に設けられた紙幣搬送部に適用して好適なものである。
【背景技術】
【０００２】
従来の現金自動取引装置は、紙幣を収納する複数の収納庫を装填する収納庫装填ケースが装置筐体の下側に配置されると共に、当該収納庫装填ケースの上側に、収納庫に紙幣を振り分ける振分搬送部が配置され、装置筐体に対し収納庫装填ケースと振分搬送部とが前後に移動して引出及び収納可能なように構成されている。
【０００３】
このような現金自動取引装置では、収納庫装填ケースと振分搬送部との間に、収納庫装填ケースと振分搬送部との位置ずれに追従させて回動する紙幣ガイドにより構成される受渡搬送部を設けることにより、収納庫装填ケースと振分搬送部との位置ずれに拘らずに収納庫装填ケースと振分搬送部とを接続し、紙幣を搬送させるものがある（例えば、特許文献１参照）。
【先行技術文献】
【特許文献】
【０００４】
【特許文献１】特開２００９−２０５２５２号公報
【発明の概要】
【発明が解決しようとする課題】
【０００５】
このような現金自動取引装置においては、収納庫装填ケースと振分搬送部との位置ずれに拘らず互いの搬送路を的確に接続し、より一層安定的に紙幣を搬送させ信頼性を高めることが望まれている。
【０００６】
本発明は以上の点を考慮してなされたもので、信頼性を高め得る紙葉類搬送装置及び紙葉類取扱装置を提案しようとするものである。
【課題を解決するための手段】
【０００７】
かかる課題を解決するため本発明の紙葉類搬送装置においては、所定の搬送路幅を空けて対向する互いに平行なガイド面の間に紙葉類の搬送路が形成され、搬送路幅を空けて対向する互いに平行な接続対象搬送路ガイド面により紙葉類の搬送路が形成された一対の接続側搬送ガイドの端部と紙葉類の搬送方向の一端部が嵌合する一対の搬送ガイドと、一対の搬送ガイドを、一対の接続側搬送ガイドの位置に応じて、搬送路幅を保ちつつガイド面の互いの平行を保ったまま回動可能に支持する支持部とを設け、一対の搬送ガイドは、紙葉類の一方の面をガイドする一面搬送ガイドと紙葉類の他方の面をガイドする他面搬送ガイドとの間であり且つ搬送方向のほぼ中央部に位置する軸を中心に回動するようにした。
【０００８】
この紙葉類搬送装置は、搬送路に対する接続対象搬送路の位置ずれにより、一対の搬送ガイドを傾けた姿勢で一対の接続側搬送ガイドと嵌合させても、搬送路と接続対象搬送路とを互いに搬送路幅を変化させずに接続することにより、搬送路の搬送路幅が接続対象搬送路よりも狭くなることと、接続部分内に段差や凹みが形成されることとを確実に防止することができる。
【０００９】
また本発明の紙葉類取扱装置においては、所定の搬送路幅を空けて対向する互いに平行な接続対象搬送路ガイド面により紙葉類の搬送路が形成された一対の接続側搬送ガイドと、搬送路幅を空けて対向する互いに平行なガイド面の間に紙葉類の搬送路が形成され、一対の接続側搬送ガイドの端部と紙葉類の搬送方向の一端部が嵌合する一対の搬送ガイドと、一対の搬送ガイドを、一対の接続側搬送ガイドの位置に応じて、搬送路幅を保ちつつガイド面の互いの平行を保ったまま回動可能に支持する支持部とを設け、一対の搬送ガイドは、紙葉類の一方の面をガイドする一面搬送ガイドと紙葉類の他方の面をガイドする他面搬送ガイドとの間であり且つ搬送方向のほぼ中央部に位置する軸を中心に回動するようにした。
【００１０】
この紙葉類取扱装置は、搬送路に対する接続対象搬送路の位置ずれにより、一対の搬送ガイドを傾けた姿勢で一対の接続側搬送ガイドと嵌合させても、搬送路と接続対象搬送路とを互いに搬送路幅を変化させずに接続することにより、搬送路の搬送路幅が接続対象搬送路よりも狭くなることと、接続部分内に段差や凹みが形成されることとを確実に防止することができる。
【発明の効果】
【００１１】
本発明によれば、搬送路に対する接続対象搬送路の位置ずれにより、一対の搬送ガイドを傾けた姿勢で一対の接続側搬送ガイドと嵌合させても、搬送路と接続対象搬送路とを互いに搬送路幅を変化させずに接続することにより、搬送路の搬送路幅が接続対象搬送路よりも狭くなることと、接続部分内に段差や凹みが形成されることとを確実に防止することができる。かくして本発明は、信頼性を高め得る紙葉類搬送装置及び紙葉類取扱装置を実現できる。
【図面の簡単な説明】
【００１２】
【図１】現金自動取引装置の外観構成を示す斜視図である。
【図２】現金自動取引装置の内部構成を示す左側面図である。
【図３】第１の実施の形態による上部ユニット引出状態及び収納庫装填ケース引出状態の現金自動取引装置の構成を示す左側面図である。
【図４】第１の実施の形態による現金自動取引装置の内部構成を示す斜視図である。
【図５】第１の実施の形態による連結部の構成を示す斜視図である。
【図６】第１の実施の形態による受渡搬送部の構成を示し、（Ａ）は左側面図、（Ｂ）は正面図である。
【図７】第１の実施の形態による受渡搬送部の構成を示し、（Ａ）は平面図、（Ｂ）は（Ａ）のＡ−Ａ矢視断面図である。
【図８】第１の実施の形態による位置決め部の構成（１）を示す左側面図である。
【図９】第１の実施の形態による可動ガイドの構成（１）を示す左側面図である。
【図１０】第１の実施の形態による位置決め部の構成（２）を示す左側面図である。
【図１１】第１の実施の形態による可動ガイドの構成（２）を示す左側面図である。
【図１２】第１の実施の形態による位置決め部の構成（３）を示す左側面図である。
【図１３】第１の実施の形態による可動ガイドの構成（３）を示す左側面図である。
【図１４】第１の実施の形態による位置決め部の構成（４）を示す左側面図である。
【図１５】第２の実施の形態による位置決め部の構成を示す左側面図である。
【図１６】他の実施の形態による位置決め部の構成（１）を示す左側面図である。
【図１７】他の実施の形態による位置決め部の構成（２）を示す左側面図である。
【図１８】他の実施による上部ユニット引出状態及び収納庫装填ケース引出状態の現金自動取引装置の構成を示す左側面図である。
【発明を実施するための形態】
【００１３】
以下、発明を実施するための形態（以下実施の形態とする）について、図面を用いて説明する。
【００１４】
［１．第１の実施の形態］
［１−１．現金自動取引装置の構成］
図１に外観を示すように、現金自動取引装置１は、箱状の装置筐体２を中心に構成されており、例えば金融機関等に設置され、顧客との間で入金取引や出金取引等の現金に関する取引を行う。以下では、現金自動取引装置１のうち利用者が対峙する側を前側とし、その反対を後側とし、当該前側に対峙した利用者から見て左、右、上及び下をそれぞれ左側、右側、上側及び下側として説明する。
【００１５】
装置筐体２の前上端部には、前面よりも後面側に凹むように略Ｌ字状に形成されたフロントパネル３が設けられている。フロントパネル３において上方向に向くほぼ水平な上向パネル３Ａには、取引に際して操作画面を表示するＬＣＤ（Liquid Crystal Display）と、取引の種類の選択、暗証番号や取引金額等を入力するタッチパネルとが一体化された操作表示部４が左寄りに設けられている。また上向パネル３Ａには、長方形の紙幣を投入され又は取り出される紙幣投入取出部５が右寄りに設けられている。一方、フロントパネル３において前方向に向くほぼ垂直な前向パネル３Ｂには、取引の際に通帳を挿入され又は当該通帳や取引明細書を排出する通帳挿入排出口７が左寄りに設けられている。また前向パネル３Ｂには、取引の際にキャッシュカードやクレジットカード等の種々のカードを挿入され又は排出するカード挿入排出口８が右寄りに設けられている。
【００１６】
現金自動取引装置１は、かかる構成のもと、操作表示部４に操作画面を表示すると共に、顧客による操作表示部４の表面へのタッチ操作に応じて操作画面を適宜切り換えて表示する。これにより現金自動取引装置１は、紙幣の預け入れのような入金や払い出しのような出金等の所望の取引の手順を操作画面を介して顧客に案内する。よって現金自動取引装置１は、顧客に対し、案内に従って通帳挿入排出口７やカード挿入排出口８に通帳やカードを挿入させ、また紙幣投入取出部５に入金用の紙幣を投入させる。また現金自動取引装置１は、顧客に対し、案内に従って通帳挿入排出口７やカード挿入排出口８から排出した通帳や取引明細書、カードを受け取らせ、紙幣投入取出部５から出金用の紙幣を取り出させる。このようにして現金自動取引装置１は、顧客が所望する紙幣の入金や出金等の取引を行う。
【００１７】
［１−２．現金自動取引装置の内部構成］
図２に示すように現金自動取引装置１の装置筐体２内には、当該現金自動取引装置１全体を統括制御する制御部１０が収納されると共に、当該制御部１０の制御のもと、紙幣の入金処理及び出金処理等を行う紙幣処理機１１が収納されている。紙幣処理機１１は、下部ユニット１２及び上部ユニット１３を有し、当該下部ユニット１２に上部ユニット１３が載上されている。
【００１８】
下部ユニット１２は、比較的厚い複数の金属板を組み合わせるようにして略箱型に形成された金庫筐体１５を有し、当該金庫筐体１５が装置筐体２内に固設されている。また金庫筐体１５内には、上端部が開放された略箱型の収納庫装填ケース１６が収納されている。収納庫装填ケース１６は、図４に示す右側板１６Ｒ、左側板１６Ｌ、後板１６Ｂ、前板１６Ｆ及び底板（図示せず）により囲まれ上面が開口し、底面に図示しない複数の仕切板が前から後にかけて所定の間隔で順に植設され、これら複数の仕切板により底面が前から後にかけて順に複数の収納庫装填位置に区切られている。なお図４は、金庫筐体１５の左側板を図示せず省略している。収納庫装填ケース１６は、最も前側の収納庫装填位置に、破損している紙幣や折れ曲がっている紙幣等のような異常な紙幣を収納するリジェクト庫１９が着脱可能に装填されている。また収納庫装填ケース１６は、最も前側の収納庫装填位置を除く他の複数箇所の収納庫装填位置に、それぞれ入金用及び出金用の紙幣を金種別に収納する複数（例えば５個）の紙幣収納庫２０乃至２４が着脱可能に装填されている。
【００１９】
リジェクト庫１９は、上端部内に、搬送ガイドやローラ等の複数種類の搬送路形成部品を有する収納庫搬送部１９Ａが一体に設けられている。収納庫搬送部１９Ａは、複数種類の搬送路形成部品により、リジェクト庫１９内にリジェクト紙幣を取り込むように搬送する収納庫搬送路１９ＡＸを形成している。
【００２０】
紙幣収納庫２０乃至２４には、それぞれ上端部内に、搬送ガイドやローラ、ローラ駆動モータ等の複数種類の搬送路形成部品を有する収納庫搬送部２０Ａ乃至２４Ａが一体に設けられている。収納庫搬送部２０Ａ乃至２４Ａは、複数種類の搬送路形成部品により、紙幣収納庫２０乃至２４内に紙幣を取り込み、また紙幣収納庫２０乃至２４内から紙幣を繰り出すように搬送する収納庫搬送路２０ＡＸ乃至２４ＡＸを形成している。
【００２１】
上部ユニット１３は、上部筐体２５及び振分搬送部２６を有し、当該上部筐体２５の下面に振分搬送部２６が取り付けられている。
【００２２】
上部筐体２５内には、上向パネル３Ａに対向させて上述の紙幣投入取出部５が配置され、当該紙幣投入取出部５の後ろ斜下に鑑別部２８が配置されると共に、紙幣投入取出部５及び鑑別部２８の後側に一時保留部２９が配置されている。また上部筐体２５内には、鑑別部２８の後側と紙幣投入取出部５及び一時保留部２９とを接続し、鑑別部２８の前側と紙幣投入取出部５とを接続する上部筐体搬送路２５Ａが設けられている。上部筐体搬送路２５Ａは、図示しないローラやベルト等により、図中太線で示す搬送路に沿って長方形の紙幣を短手方向に搬送する。
【００２３】
振分搬送部２６は、図４に示すように右側板２７Ｒ、左側板２７Ｌ、後板２７Ｂ、前板２７Ｆ、天板２７Ｔ及び底板（図示せず）により構成された振分搬送部筐体２７を有し、複数種類の搬送路形成部品により、リジェクト紙幣や正常な紙幣を、搬送先を適宜切り換えてリジェクト庫１９や紙幣収納庫２０乃至２４へ振り分けるように搬送する振分搬送路２６Ａを形成している。振分搬送路２６Ａは、２箇所の上端部が上部筐体搬送路２５Ａの下端部に接続されている。
【００２４】
また下部ユニット１２において金庫筐体１５の天板である金庫天板１５Ｔには、振分搬送部２６と収納庫搬送部１９Ａ乃至２４Ａとを連結する連結部３０が設けられている。図５に示すように、連結部３０は、例えば略長方形状の１枚の金属板を加工して、金庫天板１５Ｔの大きさとほほ同じ大きさに形成された連結筐体３１を有している。連結筐体３１は、中央部分に前後に長い略長方形の平板状の取付部３１Ａが設けられている。
【００２５】
金庫筐体１５の金庫天板１５Ｔには、収納庫搬送部１９Ａ乃至２４Ａに対応させて、図４に示すように左右に長い略長方形状の連結孔部１５ＴＡが穿設されている。また連結筐体３１は、取付部３１Ａに、金庫天板１５Ｔの連結孔部１５ＴＡに対応する、左右に長い長方形状の取付孔部３１ＡＡが穿設されている。これにより連結部３０は、連結筐体３１の取付孔部３１ＡＡを金庫天板１５Ｔの連結孔部１５ＴＡに対向させた状態で金庫天板１５Ｔに取り付けられている。
【００２６】
さらに連結部３０は、それぞれ搬送ガイドやローラ等の複数種類の搬送路形成部品を有する紙葉類搬送部としての受渡搬送部３３乃至３８を有している。連結部３０は、連結筐体３１に対し受渡搬送部３３乃至３８が、対応する取付孔部３１ＡＡを介して金庫天板１５Ｔの連結孔部１５ＴＡに１個ずつ挿入するようにして取り付けられている。
【００２７】
取付孔部３１ＡＡの左右端面からは、それぞれ受渡搬送部３３乃至３８の後述する左側板４２Ｌ及び右側板４２Ｒに沿う板状の左側ブラケット３２Ｌ及び右側ブラケット３２Ｒが下方向に向かって設けられている。
【００２８】
ここで、金庫天板１５Ｔの連結孔部１５ＴＡに挿入された受渡搬送部３３は、複数種類の搬送路形成部品により、リジェクト紙幣を振分搬送路２６Ａから収納庫搬送路１９ＡＸへ受け渡すように一方向に搬送する受渡搬送路３３Ａ（図２）を形成している。受渡搬送路３３Ａは、上端部が振分搬送路２６Ａの複数箇所の下端部のうち対応する最も前の１箇所の下端部に接続される。また受渡搬送路３３Ａは、下端部が収納庫搬送路１９ＡＸの上端部に接続される。
【００２９】
また金庫天板１５Ｔの連結孔部１５ＴＡに挿入された受渡搬送部３４乃至３８は、それぞれ複数種類の搬送路形成部品により、紙幣を振分搬送路２６Ａから対応する収納庫搬送路２０ＡＸ乃至２４ＡＸへ受け渡し、また対応する収納庫搬送路２０ＡＸ乃至２４ＡＸから振分搬送路２６Ａへ受け渡すように双方向に搬送する受渡搬送路３４Ａ乃至３８Ａ（図２）を形成している。受渡搬送路３４Ａ乃至３８Ａは、それぞれ上端部が振分搬送路２６Ａの対応する下端部に接続される。また受渡搬送路３４Ａ乃至３８Ａは、それぞれ下端部が対応する収納庫搬送路２０ＡＸ乃至２４ＡＸの上端部に接続される。
【００３０】
かかる構成において現金自動取引装置１は、紙幣の入金処理時、顧客により紙幣投入取出部５に入金用の紙幣が投入されると、当該紙幣投入取出部５から紙幣を１枚ずつ繰り出し、上部筐体搬送路２５Ａを介して鑑別部２８へ搬送して、当該鑑別部２８においてその紙幣の金種や状態等を鑑別させる。現金自動取引装置１は、鑑別部２８から正常であると鑑別されて繰り出された紙幣については、上部筐体搬送路２５Ａを介して一時保留部２９へ搬送して一時的に保持させることにより、当該紙幣の入金を保留する。一方で現金自動取引装置１は、鑑別部２８から破損や折れ等により異常であると鑑別されて繰り出された紙幣については、リジェクト紙幣として上部筐体搬送路２５Ａを介して紙幣投入取出部５へ搬送することにより、顧客に当該紙幣投入取出部５から取り出させるようにして返却する。
【００３１】
現金自動取引装置１は、紙幣投入取出部５内に投入された入金用の紙幣が鑑別部２８において全て鑑別されると、正常であると鑑別された紙幣の総額（すなわち、入金の金額）を、操作表示部４を介して顧客に提示する。その結果現金自動取引装置１は、入金の金額を確認した顧客により操作表示部４を介して紙幣の入金が指示されると、一時的に保持していた紙幣を一時保留部２９から１枚ずつ繰り出し上部筐体搬送路２５Ａを介して鑑別部２８へ搬送して、当該鑑別部２８において再びその紙幣の金種や状態等を鑑別させる。現金自動取引装置１は、鑑別部２８から正常であると鑑別されて繰り出された紙幣については、上部筐体搬送路２５Ａ、振分搬送路２６Ａ及び受渡搬送路３４Ａ乃至３８Ａを順次介して当該紙幣の金種に応じた紙幣収納庫２０乃至２４へ搬送し、収納庫搬送路２０ＡＸ乃至２４ＡＸを介して内部に収納させる。現金自動取引装置１は、この際、鑑別部２８から異常であると鑑別されて繰り出された紙幣については、リジェクト紙幣として上部筐体搬送路２５Ａ、振分搬送路２６Ａ及び受渡搬送路３３Ａを順次介してリジェクト庫１９へ搬送し、収納庫搬送路１９ＡＸを介して内部に収納させる。
【００３２】
一方で現金自動取引装置１は、紙幣の出金処理時、顧客により操作表示部４を介して出金の金額が指定されると、紙幣収納庫２０乃至２４の内部から収納庫搬送路２０ＡＸ乃至２４ＡＸを介して、当該顧客により指定された金額分の紙幣を１枚ずつ繰り出す。現金自動取引装置１は、紙幣収納庫２０乃至２４から１枚ずつ繰り出した紙幣を、受渡搬送路３４Ａ乃至３８Ａ、振分搬送路２６Ａ及び上部筐体搬送路２５Ａを順次介して鑑別部２８へ搬送して、当該鑑別部２８において紙幣の金種や状態等を鑑別させる。現金自動取引装置１は、鑑別部２８から正常であると鑑別されて繰り出された紙幣については、上部筐体搬送路２５Ａを介して紙幣投入取出部５へ搬送する。一方で現金自動取引装置１は、この際、鑑別部２８から異常であると鑑別されて繰り出された紙幣については、リジェクト紙幣として上部筐体搬送路２５Ａ、振分搬送路２６Ａ及び受渡搬送路３３Ａを順次介してリジェクト庫１９へ搬送し、収納庫搬送路１９ＡＸを介して内部に収納させて、その後の出金処理には用いないようにする。現金自動取引装置１は、出金用に指定された金額分の紙幣を紙幣投入取出部５に搬送し終えると、出金用に指定された金額分の紙幣を当該紙幣投入取出部５から顧客に取り出させるようにして引き渡す。
【００３３】
ところで装置筐体２は、前面を覆う装置筐体前扉２Ａが図示しないヒンジ部を介して開閉可能に設けられている。また金庫筐体１５は、当該金庫筐体１５を形成する複数の金属板のうち前板となる金属板が金庫筐体前扉１５Ｂとして図示しないヒンジ部を介して開閉可能に設けられている。
【００３４】
上部ユニット１３は、図３に示すように上側スライドレール４０を介して装置筐体２に取り付けられている。上側スライドレール４０は、前後方向に延長されたレール状の部品や複数のローラ等（図示せず）の組み合わせにより構成されており、装置筐体２に対し上部ユニット１３を前方向又は後方向へ直線的に且つ円滑に移動させる。
【００３５】
現金自動取引装置１は、顧客との間で取引処理が行われる場合や保守作業が行われない場合、図２に示したように上部ユニット１３を装置筐体２の内部に収納することにより、当該上部ユニット１３の各部や紙幣等を保護する。以下ではこれを上部ユニット収納状態と呼ぶ。一方現金自動取引装置１は、保守作業者により保守作業が行われる場合、図３に示すように装置筐体前扉２Ａを開き上部ユニット１３を前方（引出方向）へ移動させて、当該上部ユニット１３を装置筐体２の外部に引き出した状態とする。以下ではこれを上部ユニット引出状態とも呼ぶ。
【００３６】
収納庫装填ケース１６は、下側スライドレール４１を介して金庫筐体１５に取り付けられている。下側スライドレール４１は、前後方向に延長されたレール状の部品や複数のローラ等（図示せず）の組み合わせにより構成されており、金庫筐体１５に対し収納庫装填ケース１６を前方向又は後方向へ直線的に且つ円滑に移動させる。
【００３７】
現金自動取引装置１は、顧客との間で取引処理が行われる場合や保守作業が行われない場合、図２に示したように収納庫装填ケース１６を金庫筐体１５の内部に収納することにより、当該収納庫装填ケース１６の各部や紙幣等を保護する。以下ではこれを収納庫装填ケース収納状態と呼ぶ。一方現金自動取引装置１は、保守作業者により保守作業が行われる場合、図３に示すように装置筐体前扉２Ａ及び金庫筐体前扉１５Ｂ（図示せず）を開き収納庫装填ケース１６を前方（引出方向）へ移動させて、当該収納庫装填ケース１６を装置筐体２の外部に引き出した状態とする。以下ではこれを収納庫装填ケース引出状態とも呼ぶ。なお図３は、上部ユニット引出状態であり且つ収納庫装填ケース引出状態を示している。
【００３８】
また現金自動取引装置１は、収納している紙幣が規定枚数以下に減った又は空となった紙幣収納庫２０乃至２４を金庫筐体１５の外部（装置筐体２の前側）で収納庫装填ケース１６から保守作業者に引き抜かせ、また収納庫装填ケース１６に、複数の紙幣を補充した紙幣収納庫２０乃至２４を装填させる。
【００３９】
ここで連結部３０は、図３に示すように、受渡搬送部３３乃至３８において振分搬送部２６との搬送路接続部分である可動ガイド５８を金庫天板１５Ｔの上側に突出させている。また振分搬送部筐体２７は、振分搬送部２６における受渡搬送部３３乃至３８との搬送路接続部分である振分搬送部固定ガイド５４を右側板２７Ｒ及び左側板２７Ｌにおける水平方向に沿う下端よりも下側に突出させている。よって連結部３０は、上部ユニット収納状態では、受渡搬送部３３乃至３８の上に振分搬送部２６の対応する搬送路接続部分を位置させる。これにより連結部３０は、受渡搬送路３３Ａ乃至３８Ａの上端部をそれぞれ振分搬送路２６Ａの対応する下端部に接続する。
【００４０】
そして上部ユニット１３は、装置筐体２内から引き出された場合、受渡搬送部３３乃至３８の上から振分搬送部２６が前側に移動することで、受渡搬送路３３Ａ乃至３８Ａの上端部から振分搬送路２６Ａの対応する下端部を全て切り離す。また連結部３０は、上部ユニット１３が後方（収納方向）へ移動されて装置筐体２内に上部ユニット１３が収納されると、再び受渡搬送部３３乃至３８の上に振分搬送部２６の対応する搬送路接続部分を位置させる。これにより連結部３０は、受渡搬送路３３Ａ乃至３８Ａの上端部をそれぞれ振分搬送路２６Ａの対応する下端部に再び接続する。以下では引出方向及び収納方向をまとめてスライド方向とも呼ぶ。
【００４１】
一方連結部３０は、受渡搬送部３３乃至３８において収納庫搬送部１９Ａ乃至２４Ａとの搬送路接続部分である可動ガイド５８を金庫天板１５Ｔの下側（すなわち金庫筐体１５内）に突出させている。また収納庫装填ケース１６は、収納庫搬送部１９Ａ乃至２４Ａにおける受渡搬送部３３乃至３８との搬送路接続部分である収納庫固定ガイド５６を右側板１６Ｒ及び左側板１６Ｌにおける水平方向に沿う上端よりも上側に突出させている。よって連結部３０は、収納庫装填ケース収納状態では、受渡搬送部３３乃至３８の下に対応する収納庫搬送部１９Ａ乃至２４Ａの搬送路接続部分を位置させる。これにより連結部３０は、受渡搬送路３３Ａ乃至３８Ａの下端部を対応する収納庫搬送路１９ＡＸ乃至２４ＡＸの上端部に接続する。
【００４２】
そして収納庫装填ケース１６は、金庫筐体１５内から引き出された場合、受渡搬送部３３乃至３８の下からリジェクト庫１９及び紙幣収納庫２０乃至２４が前側に移動することで、受渡搬送路３３Ａ乃至３８Ａの下端部から対応する収納庫搬送路１９ＡＸ乃至２４ＡＸの上端部を全て切り離す。また連結部３０は、収納庫装填ケース１６が後方（収納方向）へ移動されて金庫筐体１５内に収納庫装填ケース１６が収納されると、再び受渡搬送部３３乃至３８の下に対応する収納庫搬送部１９Ａ乃至２４Ａの搬送路接続部分を位置させる。これにより連結部３０は、受渡搬送路３３Ａ乃至３８Ａの下端部を対応する収納庫搬送路１９ＡＸ乃至２４ＡＸの上端部に再び接続する。
【００４３】
［１−３．連結部の構成］
連結部３０は、図５について上述したように連結筐体３１に受渡搬送部３３乃至３８が後方向に沿って順に取り付けられている。受渡搬送部３３乃至３８は基本的には同様に構成されているため、以下では受渡搬送部３４の構成について説明する。
【００４４】
図５乃至図７に示すように受渡搬送部３４には、平板状の金属板である左側板４２Ｌ、右側板４２Ｒ、後側板４２Ｂ及び前側板４２Ｆが組み合わされ内部に空間を有する受渡搬送部筐体４２が設けられている。受渡搬送部筐体４２は、前側板４２Ｆ及び後側板４２Ｂの左右方向の長さが、紙幣の搬送方向に直交する長手方向の長さよりも長く、且つ取付孔部３１ＡＡの左右方向の長さよりも短く形成されている。また受渡搬送部筐体４２は、右側板４２Ｒ及び左側板４２Ｌの前後方向の長さが、取付孔部３１ＡＡの前後方向の長さよりも短く形成されている。
【００４５】
左側板４２Ｌからは円筒形状の受渡搬送部筐体左側シャフト４４Ｌが左方に向かって突出し、左側ブラケット３２Ｌに穿設された左側ブラケット孔部３２ＬＨを貫通している。また右側板４２Ｒからは円筒形状の受渡搬送部筐体右側シャフト４４Ｒが受渡搬送部筐体左側シャフト４４Ｌの延長線上を右方に向かって突出し、右側ブラケット３２Ｒに穿設された右側ブラケット孔部３２ＲＨ（図示せず）を貫通している。以下では受渡搬送部筐体左側シャフト４４Ｌ及び受渡搬送部筐体右側シャフト４４Ｒをまとめて受渡搬送部筐体シャフト４４とも呼ぶ。受渡搬送部筐体シャフト４４及び受渡搬送部筐体４２により、可動ガイド５８を支持する可動ガイド支持部６０が形成されている。図８に示すように左側ブラケット孔部３２ＬＨは、上下方向の高さが受渡搬送部筐体左側シャフト４４Ｌとほぼ同一に形成され、前後方向の幅が受渡搬送部筐体左側シャフト４４Ｌよりも広く形成されている。右側ブラケット孔部３２ＲＨ（図示せず）は、上下方向の高さが受渡搬送部筐体右側シャフト４４Ｒとほぼ同一に形成され、前後方向の幅が受渡搬送部筐体右側シャフト４４Ｒよりも広く形成されている。これにより左側ブラケット３２Ｌ及び右側ブラケット３２Ｒは、受渡搬送部筐体左側シャフト４４Ｌ及び受渡搬送部筐体右側シャフト４４Ｒを、上下方向の移動を規制しつつ、前後方向への移動を許容し、左右方向と平行にして左側ブラケット孔部３２ＬＨ及び右側ブラケット孔部３２ＲＨそれぞれの内部を自在に左右側面視で時計回り及び反時計回りに回動させるよう支持している。
【００４６】
受渡搬送部３４（図４）におけるスライド方向と直交する方向の端部である左端部及び右端部には、当該受渡搬送部３４に対し振分搬送部２６（上部ユニット１３）及び収納庫装填ケース１６を位置決めする左側位置出し部４５Ｌ及び右側位置出し部４５Ｒがそれぞれ設けられている。左側位置出し部４５Ｌと右側位置出し部４５Ｒとはほぼ同様に構成されているため、以下では左側位置出し部４５Ｌについて主に説明する。左側位置出し部４５Ｌは、受渡搬送部３４に対し振分搬送部２６（上部ユニット１３）を位置決めする位置出し部材としての上側位置出し部４５Ｔと、受渡搬送部３４に対し収納庫装填ケース１６を位置決めする位置出し部材としての下側位置出し部４５Ｄとにより構成されている。上側位置出し部４５Ｔは、受渡搬送部３４の上側付勢部４６Ｔと振分搬送部筐体２７の振分搬送部筐体窪み２７Ｃとにより構成され、下側位置出し部４５Ｄは、受渡搬送部３４の下側付勢部４６Ｄと収納庫装填ケース１６の収納庫装填ケース窪み１６Ｃとにより構成されている。
【００４７】
図６及び図７に示すように上側付勢部４６Ｔは、上側支持部４７Ｔ、上側位置出しローラ４８Ｔ、上側位置出しローラシャフト４９Ｔ及び上側スプリング５０Ｔにより構成されている。左側板４２Ｌからは、板状の上側支持部４７Ｔが左方に向かって突出し、左端部において左右方向に間隔を開けてシャフト支持板５１Ｔが立設している。シャフト支持板５１Ｔには、延伸方向（上下方向）に沿って長尺に上側支持部孔５１ＨＴが穿設されている。上側位置出しローラ４８Ｔは、上側位置出しローラシャフト４９Ｔが上側支持部孔５１ＨＴに挿入され、当該上側位置出しローラシャフト４９Ｔが上側支持部孔５１ＨＴの内部を上下方向に摺動することにより、振分搬送部筐体２７に対し離接する方向へ移動可能であり、且つ側面視において上側位置出しローラシャフト４９Ｔを中心に回転自在に構成されている。上側位置出しローラシャフト４９Ｔの左右端部には、圧縮スプリングである上側スプリング５０Ｔの上端が取り付けられており、当該上側スプリング５０Ｔは、自然状態よりも縮められた状態で下端がシャフト支持板５１Ｔに取り付けられている。このため上側スプリング５０Ｔは、縮められた状態から自然状態に開いて戻ろうとする反発力により、上側位置出しローラシャフト４９Ｔ及び上側位置出しローラ４８Ｔを振分搬送部筐体２７に向かう上方向へ付勢する。下側付勢部４６Ｄは、上側付勢部４６Ｔに対し受渡搬送部筐体左側シャフト４４Ｌを中心として点対称に構成されているためその説明を省略するが、下側位置出しローラ４８Ｄが、収納庫装填ケース１６に向かう上方向へ下側スプリング５０Ｄにより付勢されつつ、下側支持部４７Ｄから立設するシャフト支持板５１Ｄに穿設された下側支持部孔５１ＨＤを下側位置出しローラシャフト４９Ｄが摺動することにより収納庫装填ケース１６に対し離接する方向へ移動可能であり、且つ側面視において下側位置出しローラシャフト４９を中心に回転自在に構成されている。
【００４８】
上部ユニット収納状態における、振分搬送部筐体２７（図８）の左側板２７Ｌ及び右側板２７Ｒの下端面において上側位置出しローラ４８Ｔと対向する箇所には、側面視で三角形状の切り欠きであり当該上側位置出しローラ４８Ｔが嵌り込む振分搬送部筐体窪み２７Ｃが形成されている。また収納庫装填ケース収納状態における、収納庫装填ケース１６の左側板１６Ｌ及び右側板１６Ｒの上端面において下側位置出しローラ４８Ｄと対向する箇所には、側面視で三角形状の切り欠きであり当該下側位置出しローラ４８Ｄが嵌り込む収納庫装填ケース窪み１６Ｃが形成されている。
【００４９】
受渡搬送部３４は、上側位置出しローラ４８Ｔを振分搬送部筐体窪み２７Ｃの下端面に押し付けることにより、当該受渡搬送部３４に対し振分搬送部２６（上部ユニット１３）を位置決めする。また受渡搬送部３４は、下側位置出しローラ４８Ｄを収納庫装填ケース窪み１６Ｃの上端面に押し付けることにより、当該受渡搬送部３４に対し収納庫装填ケース１６を位置決めする。
【００５０】
また受渡搬送部３４は、上側位置出しローラ４８Ｔが振分搬送部筐体窪み２７Ｃに嵌り込んだ状態において、上部ユニット１３に対しスライド方向に沿って所定以上の力が加わった場合、上側スプリング５０Ｔを圧縮し上側位置出しローラ４８Ｔを振分搬送部筐体２７から離隔する方向へ移動させることにより、当該上側位置出しローラ４８Ｔを振分搬送部筐体窪み２７Ｃから外し、左側板２７Ｌ及び右側板２７Ｒの下端面に当接させる。さらに受渡搬送部３４は、下側位置出しローラ４８Ｄが収納庫装填ケース窪み１６Ｃに嵌り込んだ状態において、収納庫装填ケース１６に対しスライド方向に沿って所定以上の力が加わった場合、下側スプリング５０Ｄを圧縮し下側位置出しローラ４８Ｄを収納庫装填ケース１６から離隔する方向へ移動させることにより、当該下側位置出しローラ４８Ｄを収納庫装填ケース窪み１６Ｃから外し、左側板１６Ｌ及び右側板１６Ｒの上端面に当接させる。
【００５１】
このように連結部３０（図４）は、受渡搬送部３３乃至３８それぞれの上側位置出しローラ４８Ｔを、対応する振分搬送部筐体窪み２７Ｃに係合することにより、上部ユニット収納状態において連結部３０に対し振分搬送部２６（上部ユニット１３）を位置決めする。また連結部３０は、受渡搬送部３３乃至３８それぞれの下側位置出しローラ４８Ｄを、対応する収納庫装填ケース窪み１６Ｃに係合することにより、収納庫装填ケース収納状態において連結部３０に対し収納庫装填ケース１６を位置決めする。
【００５２】
ここで、上側スプリング５０Ｔの反発力、上側位置出しローラ４８Ｔの直径、左側板２７Ｌ及び右側板２７Ｒの下端面に対する振分搬送部筐体窪み２７Ｃの切り欠きの角度、切り欠きの大きさは、保守作業者が上部ユニット１３を移動させる力により、振分搬送部筐体窪み２７Ｃから上側位置出しローラ４８Ｔが外れるように設定されている。また下側スプリング５０Ｄの反発力、下側位置出しローラ４８Ｄの直径、左側板１６Ｌ及び右側板１６Ｒの上端面に対する収納庫装填ケース窪み１６Ｃの切り欠きの角度、切り欠きの大きさは、保守作業者が収納庫装填ケース１６を移動させる力により、収納庫装填ケース窪み１６Ｃから下側位置出しローラ４８Ｄが外れるように設定されている。
【００５３】
一方連結部３０は、当該連結部３０に対し振分搬送部２６（上部ユニット１３）が位置決めされた状態において一方向としての引出方向に沿って所定以上の力が振分搬送部２６に加わった際、連結部３０に対し振分搬送部２６（上部ユニット１３）を引出方向にスライドさせ、上部ユニット引出状態とする。また連結部３０は、当該連結部３０に対し収納庫装填ケース１６が位置決めされた状態において引出方向に沿って所定以上の力が収納庫装填ケース１６に加わった際、連結部３０に対し収納庫装填ケース１６を引出方向にスライドさせ、収納庫装填ケース引出状態とする。
【００５４】
また一方連結部３０は、上部ユニット引出状態において他方向としての収納方向に沿って所定以上の力が振分搬送部２６に加わった際、連結部３０に対し振分搬送部２６（上部ユニット１３）を収納方向にスライドさせ、受渡搬送部３３乃至３８それぞれの上側位置出しローラ４８Ｔを対応する振分搬送部筐体窪み２７Ｃに係合することにより、上部ユニット収納状態とする。また連結部３０は、収納庫装填ケース引出状態において収納方向に沿って所定以上の力が収納庫装填ケース１６に加わった際、連結部３０に対し収納庫装填ケース１６を収納方向にスライドさせ、受渡搬送部３３乃至３８それぞれの下側位置出しローラ４８Ｄを対応する収納庫装填ケース窪み１６Ｃに係合することにより、収納庫装填ケース収納状態とする。
【００５５】
［１−４．受渡搬送部の構成］
図８及び図９に示すように振分搬送部２６は、受渡搬送部３４との搬送路接続部分に一対の振分搬送部前側固定ガイド５４Ｆ及び振分搬送部後側固定ガイド５４Ｂが、スライド方向に沿って所定の間隔で並べて固設されると共に、紙幣を挟持して搬送するローラ等が配置されている。以下では、振分搬送部前側固定ガイド５４Ｆと振分搬送部後側固定ガイド５４Ｂとをまとめて一対の接続側搬送ガイドとしての振分搬送部固定ガイド５４とも呼ぶ。振分搬送部２６は、振分搬送部前側固定ガイド５４Ｆにおける後側の面である振分搬送部前側ガイド面５４ＳＦと、振分搬送部後側固定ガイド５４Ｂにおいて振分搬送部前側ガイド面５４ＳＦと平行に対向する振分搬送部後側ガイド面５４ＳＢとの間に、これらの間隔を長さＷ１の搬送路幅とする紙幣搬送路を形成している。これにより振分搬送部後側固定ガイド５４Ｂは紙幣の後面側をガイドし、振分搬送部前側固定ガイド５４Ｆは紙幣の前面側をガイドしている。この振分搬送部後側固定ガイド５４Ｂ及び振分搬送部前側固定ガイド５４Ｆは、下側に向けられた先端部が図７（Ｂ）に示すように櫛歯状に形成され、振分搬送部筐体２７の左側板２７Ｌ及び右側板２７Ｒにおける下端よりも下側に突出している。以下では、振分搬送部前側ガイド面５４ＳＦと振分搬送部後側ガイド面５４ＳＢとをまとめて接続対象搬送路ガイド面としての振分搬送部ガイド面５４Ｓとも呼ぶ。
【００５６】
図８及び図９に示すように収納庫装填ケース１６は、受渡搬送部３４との搬送路接続部分に一対の収納庫前側固定ガイド５６Ｆ及び収納庫後側固定ガイド５６Ｂが、スライド方向に沿って所定の間隔で並べて固設されると共に、紙幣を挟持して搬送するローラ等が配置されている。以下では、収納庫前側固定ガイド５６Ｆと収納庫後側固定ガイド５６Ｂとをまとめて一対の接続側搬送ガイドとしての収納庫固定ガイド５６とも呼ぶ。収納庫装填ケース１６は、収納庫前側固定ガイド５６Ｆにおける後側の面である収納庫前側ガイド面５６ＳＦと、収納庫後側固定ガイド５６Ｂにおいて収納庫前側ガイド面５６ＳＦと平行に対向する収納庫後側ガイド面５６ＳＢとの間に、これらの間隔を長さＷ１と同等の長さである長さＷ２の搬送路幅とする紙幣搬送路を形成している。これにより収納庫後側固定ガイド５６Ｂは紙幣の後面側をガイドし、収納庫前側固定ガイド５６Ｆは紙幣の前面側をガイドしている。この収納庫後側固定ガイド５６Ｂ及び収納庫前側固定ガイド５６Ｆは、上側に向けられた先端部が図７（Ｂ）に示すように櫛歯状に形成され、収納庫装填ケース１６の右側板１６Ｒ及び左側板１６Ｌにおける上端よりも上側に突出している。以下では、収納庫前側ガイド面５６ＳＦと収納庫後側ガイド面５６ＳＢとをまとめて接続対象搬送路ガイド面としての収納庫ガイド面５６Ｓとも呼ぶ。
【００５７】
図８及び図９に示すように受渡搬送部３４は、振分搬送部２６及び収納庫装填ケース１６との搬送路接続部分に側面視台形状の一対の前側可動ガイド５８Ｆ及び後側可動ガイド５８Ｂが、スライド方向に沿って所定の間隔で並べてそれぞれ前側板４２Ｆ及び後側板４２Ｂに固設されている。また一面搬送ガイドとしての前側可動ガイド５８Ｆ及び他面搬送ガイドとしての後側可動ガイド５８Ｂは、左側板４２Ｌ及び右側板４２Ｒにも固定されている。以下では、前側可動ガイド５８Ｆと後側可動ガイド５８Ｂとをまとめて一対の可動ガイド５８とも呼ぶ。受渡搬送部３４は、前側可動ガイド５８Ｆにおける後側の面である前側ガイド面５８ＳＦと、後側可動ガイド５８Ｂにおいて前側ガイド面５８ＳＦと平行に対向する後側ガイド面５８ＳＢとの間に、これらの間隔を搬送路幅とする受渡搬送路３４Ａを形成している。これにより後側可動ガイド５８Ｂは紙幣の後面側をガイドし、前側可動ガイド５８Ｆは紙幣の前面側をガイドしている。図７（Ｂ）に示すようにこの後側可動ガイド５８Ｂ及び前側可動ガイド５８Ｆは、上側に向けられた先端部が櫛歯状に形成され、金庫天板１５Ｔの上側に突出することにより、それぞれ振分搬送部後側固定ガイド５４Ｂ及び振分搬送部前側固定ガイド５４Ｆと噛み合っている。また後側可動ガイド５８Ｂ及び前側可動ガイド５８Ｆは、下側に向けられた先端部が櫛歯状に形成され、金庫天板１５Ｔの下側（すなわち金庫筐体１５内）に突出することにより、それぞれ収納庫後側固定ガイド５６Ｂ及び収納庫前側固定ガイド５６Ｆと噛み合っている。
【００５８】
図９に示すように可動ガイド５８における搬送路幅は、振分搬送部固定ガイド５４と噛み合う上端部と、中央部と、収納庫固定ガイド５６と噛み合う下端部との何れにおいても同様の長さＷ３となっている。可動ガイド５８の搬送路幅である長さＷ３は、振分搬送部固定ガイド５４の搬送路幅である長さＷ１と、収納庫固定ガイド５６の搬送路幅である長さＷ２と同等となっている。すなわち受渡搬送路３４Ａの搬送路幅は、搬送方向（上下方向）の一端から他端に亘って、振分搬送路２６Ａ及び収納庫搬送路２０ＡＸの搬送路幅と同等に形成されている。
【００５９】
ここで、上述した受渡搬送部筐体シャフト４４は、前側可動ガイド５８Ｆと後側可動ガイド５８Ｂとの間であり、且つ振分搬送部固定ガイド５４から収納庫固定ガイド５６に向かい紙幣が搬送される上下方向のほぼ中央部に回転軸が位置している。
【００６０】
このように前側可動ガイド５８Ｆと後側可動ガイド５８Ｂとは、受渡搬送部筐体４２を介し一体化しているため、前側板４２Ｆ及び後側板４２Ｂが受渡搬送部筐体シャフト４４を軸として回動すると、互いの位置関係を保ったまま、すなわち振分搬送路２６Ａ及び収納庫搬送路２０ＡＸと同等の搬送路幅での平行関係を保ったまま受渡搬送部筐体シャフト４４を軸として回動する。因みに受渡搬送部３４には、前側可動ガイド５８Ｆ及び後側可動ガイド５８Ｂが所定角度以上に回動しないよう規制する図示しない部材が設けられている。
【００６１】
［１−５．動作及び効果］
以上の構成において、現金自動取引装置１は、図８に示すように振分搬送部２６、連結部３０及び収納庫装填ケース１６が互いに位置ずれなく配置されている場合、可動ガイド５８を垂直な姿勢にして、これらの上端部を振分搬送部固定ガイド５４に、下端部を収納庫固定ガイド５６にそれぞれ嵌合して、受渡搬送路３３Ａ乃至３８Ａを振分搬送路２６Ａ、収納庫搬送路１９ＡＸ乃至２４ＡＸにそれぞれ接続する。
【００６２】
一方図１０及び図１１に示すように例えば振分搬送部２６が前方向へ、収納庫装填ケース１６が後方向へ、それぞれ正常な位置に対し例えば３ｍｍ程度位置ずれした場合、振分搬送部筐体窪み２７Ｃから上側位置出しローラ４８Ｔが外れない範囲において振分搬送部筐体窪み２７Ｃに上側位置出しローラ４８Ｔが嵌まり続けるように、且つ収納庫装填ケース窪み１６Ｃから下側位置出しローラ４８Ｄが外れない範囲において収納庫装填ケース窪み１６Ｃに下側位置出しローラ４８Ｄが嵌まり続けるように、振分搬送部筐体窪み２７Ｃ及び収納庫装填ケース窪み１６Ｃの位置に応じた角度だけ前側板４２Ｆ及び後側板４２Ｂが受渡搬送部筐体シャフト４４を軸として左側面視で時計回りに回動する。
【００６３】
このため現金自動取引装置１は、振分搬送部２６が連結部３０の真上よりも前側へずれている場合か、又は収納庫装填ケース１６が連結部３０の真下よりも後側へずれている場合は、可動ガイド５８を、上端から下端に亘って前側ガイド面５８ＳＦと後側ガイド面５８ＳＢとの平行を保ち且つ搬送路幅を保ちつつ、受渡搬送部筐体シャフト４４を軸に上端部が前方へ傾く姿勢にして、これらの上端部を振分搬送部固定ガイド５４に、下端部を収納庫固定ガイド５６にそれぞれ嵌合して、受渡搬送路３３Ａ乃至３８Ａを振分搬送路２６Ａ及び収納庫搬送路１９ＡＸ乃至２４ＡＸにそれぞれ接続する。
【００６４】
一方図１２及び図１３に示すように例えば振分搬送部２６が後方向へ、収納庫装填ケース１６が前方向へ、それぞれ正常な位置に対し例えば３ｍｍ程度位置ずれした場合、振分搬送部筐体窪み２７Ｃから上側位置出しローラ４８Ｔが外れない範囲において振分搬送部筐体窪み２７Ｃに上側位置出しローラ４８Ｔが嵌まり続けるように、且つ収納庫装填ケース窪み１６Ｃから下側位置出しローラ４８Ｄが外れない範囲において収納庫装填ケース窪み１６Ｃに下側位置出しローラ４８Ｄが嵌まり続けるように、振分搬送部筐体窪み２７Ｃ及び収納庫装填ケース窪み１６Ｃの位置に応じた角度だけ前側板４２Ｆ及び後側板４２Ｂが受渡搬送部筐体シャフト４４を軸として左側面視で反時計回りに回動する。
【００６５】
このため現金自動取引装置１は、振分搬送部２６が連結部３０の真上よりも後側へずれている場合か、又は収納庫装填ケース１６が連結部３０の真下よりも前側へずれている場合は、可動ガイド５８を、上端から下端に亘って前側ガイド面５８ＳＦと後側ガイド面５８ＳＢとの平行を保ち且つ搬送路幅を保ちつつ、受渡搬送部筐体シャフト４４を軸に上端部が後方へ傾く姿勢にして、これらの上端部を振分搬送部固定ガイド５４に、下端部を収納庫固定ガイド５６にそれぞれ嵌合して、受渡搬送路３３Ａ乃至３８Ａを振分搬送路２６Ａと収納庫搬送路１９ＡＸ乃至２４ＡＸとにそれぞれ接続する。
【００６６】
また図１４に示すように例えば振分搬送部２６と収納庫装填ケース１６とが共に前方向へ、それぞれ正常な位置に対し位置ずれした場合、振分搬送部筐体窪み２７Ｃから上側位置出しローラ４８Ｔが外れない範囲において振分搬送部筐体窪み２７Ｃに上側位置出しローラ４８Ｔが嵌まり続けるように、且つ収納庫装填ケース窪み１６Ｃから下側位置出しローラ４８Ｄが外れない範囲において収納庫装填ケース窪み１６Ｃに下側位置出しローラ４８Ｄが嵌まり続けるように、受渡搬送部筐体左側シャフト４４Ｌが左側ブラケット孔部３２ＬＨ内部を、受渡搬送部筐体右側シャフト４４Ｒ（図示せず）が右側ブラケット孔部３２ＲＨ（図示せず）内部をそれぞれ前方向へ摺動することにより、前側板４２Ｆ及び後側板４２Ｂが前方向へ移動する。
【００６７】
このため現金自動取引装置１は、振分搬送部２６が連結部３０の真上よりも前側へ、且つ収納庫装填ケース１６が連結部３０の真下よりも前側へずれている場合は、可動ガイド５８を、上端から下端に亘って前側ガイド面５８ＳＦと後側ガイド面５８ＳＢとの平行を保ち且つ搬送路幅を保ちつつ前方向へ平行移動させて、上端部を振分搬送部固定ガイド５４に、下端部を収納庫固定ガイド５６にそれぞれ嵌合して、受渡搬送路３３Ａ乃至３８Ａを振分搬送路２６Ａと収納庫搬送路１９ＡＸ乃至２４ＡＸとにそれぞれ接続する。以上は振分搬送部２６と収納庫装填ケース１６とが共に前方向へ位置ずれした場合について説明したが、振分搬送部２６と収納庫装填ケース１６とが共に後方向へ位置ずれした場合は、受渡搬送部筐体左側シャフト４４Ｌが左側ブラケット孔部３２ＬＨ内部を、受渡搬送部筐体右側シャフト４４Ｒ（図示せず）が右側ブラケット孔部３２ＲＨ（図示せず）内部をそれぞれ後方向へ摺動することにより、可動ガイド５８が後方向へ移動する。
【００６８】
このようにして現金自動取引装置１は、上部ユニット収納状態及び収納庫装填ケース収納状態において、連結部３０に対する振分搬送部２６及び収納庫装填ケース１６の位置ずれに拘らずに、前側可動ガイド５８Ｆ及び後側可動ガイド５８Ｂの搬送路幅と前側ガイド面５８ＳＦ及び後側可動ガイド５８Ｂの平行関係とを保ったまま、受渡搬送路３３Ａ乃至３８Ａを振分搬送路２６Ａ及び収納庫搬送路１９ＡＸ乃至２４ＡＸにそれぞれ接続することができる。
【００６９】
よって現金自動取引装置１は、受渡搬送部３３乃至３８の可動ガイド５８を前側や後側へ傾けた姿勢で振分搬送部２６の対応する振分搬送部固定ガイド５４と嵌合させても、その嵌合により接続される受渡搬送路３３Ａ乃至３８Ａの上端部と振分搬送路２６Ａの下端部との接続部分内に、当該可動ガイド５８の先端部や振分搬送部固定ガイド５４の下端部が入り込んで段差や凹みが形成されることを確実に防止することができる。また現金自動取引装置１は、受渡搬送部３３乃至３８の可動ガイド５８を前側や後側へ傾けた姿勢で収納庫搬送部１９Ａ乃至２４Ａの対応する収納庫固定ガイド５６と嵌合させても、その嵌合により接続される受渡搬送路３３Ａ乃至３８Ａの下端部と収納庫搬送路１９ＡＸ乃至２４ＡＸの上端部との接続部分内に、当該可動ガイド５８の先端部や収納庫固定ガイド５６の上端部が入り込んで段差や凹みが形成されることを確実に防止することができる。
【００７０】
そして現金自動取引装置１は、このように受渡搬送路３３Ａ乃至３８Ａの上端部と振分搬送路２６Ａの下端部と、受渡搬送路３３Ａ乃至３８Ａの下端部と収納庫搬送路１９ＡＸ乃至２４ＡＸの上端部とを、接続部分内に段差や凹みが無いように接続し、且つ振分搬送路２６Ａの下端部との接続部分から収納庫搬送路１９ＡＸ乃至２４ＡＸの上端部との接続部分までに亘って、振分搬送路２６Ａ及び収納庫搬送路２０ＡＸと同等の搬送路幅を保ち且つ前側ガイド面５８ＳＦ及び後側可動ガイド５８Ｂを平行に保つことで、実際に当該振分搬送路２６Ａ及び受渡搬送路３３Ａ乃至３８Ａを順次介して紙幣を搬送する場合、その接続部分で紙幣が詰まり、また破損することをほぼ確実に防止することができる。
【００７１】
また現金自動取引装置１は、複数の受渡搬送部３３乃至３８それぞれにおける可動ガイド５８が互いに独立して回動するようにした。これにより現金自動取引装置１は、振分搬送路２６Ａの複数の下端部と、それぞれ対応する受渡搬送路３３Ａ乃至３８Ａとの位置ずれの量や方向にばらつきがあっても、振分搬送路２６Ａの複数の下端部に対して、それぞれ対応する受渡搬送路３３Ａ乃至３８Ａの上端部を個別に精度良く位置決めして接続することができる。
【００７２】
また現金自動取引装置１では、このように振分搬送路２６Ａの複数の下端部と、収納庫搬送路１９ＡＸ乃至２４ＡＸの複数の上端部とに対して、それぞれ対応する受渡搬送路３３Ａ乃至３８Ａの端部を個別に精度良く位置決めして接続することができる。これにより現金自動取引装置１は、現金自動取引装置１を工場で組み立てる際や設置場所での上部ユニット１３の交換の際に、当該上部ユニット１３の前後方向に対する位置の調整の要求精度を、可動ガイド５８の回転による位置決めでカバーできる程度まで下げることもできる。また現金自動取引装置１は、収納庫装填ケース１６からリジェクト庫１９又は紙幣収納庫２０乃至２４を交換して当該収納庫装填ケース１６を収納する際に、当該収納庫装填ケース１６の前後方向に対する位置の調整の要求精度を、可動ガイド５８の回転による位置決めでカバーできる程度まで下げることもできる。
【００７３】
そして現金自動取引装置１では、現金自動取引装置１を工場で組み立てる際や設置場所での上部ユニット１３の交換の際に、当該上部ユニット１３の前後方向に対する位置の調整の要求精度を下げれば、その分、上部ユニット１３の前後方向に対する位置を調整する作業を簡略化することができる。また現金自動取引装置１では、収納庫装填ケース１６からリジェクト庫１９又は紙幣収納庫２０乃至２４を交換して当該収納庫装填ケース１６を収納する際に、当該収納庫装填ケース１６の前後方向に対する位置の調整の要求精度を下げれば、その分、収納庫装填ケース１６の前後方向に対する位置を調整する作業を簡略化することができる。
【００７４】
ここで、特開２０１３−２４２６０８号公報に示す現金自動取引装置のように、前側可動ガイド及び後側可動ガイドを互いの根元部の一面を対向させて回動可能に設けると共に、当該前側可動ガイド及び後側可動ガイドを連結板を介して連結して互いの一面を平行にしたまま回動可能にするものがある。このような構成の場合、前側可動ガイド及び後側可動ガイドが傾くと、互いの平行関係は保つものの、搬送路幅が振分搬送路及び収納庫搬送路よりも狭くなってしまう。
【００７５】
これに対し現金自動取引装置１は、前側可動ガイド５８Ｆと後側可動ガイド５８Ｂとを受渡搬送部筐体４２を介し一体化し、側面視で前側可動ガイド５８Ｆと後側可動ガイド５８Ｂとの間であり且つ上下方向のほぼ中央部に位置する受渡搬送部筐体シャフト４４を軸として回動させるようにした。これにより現金自動取引装置１は、振分搬送路２６Ａ及び収納庫搬送路１９ＡＸ乃至２４ＡＸと同等の搬送路幅で前側ガイド面５８ＳＦと後側ガイド面５８ＳＢとの平行関係を保ったまま可動ガイド５８を傾けることができる。
【００７６】
また特開２０１３−２４２６０８号公報に示す現金自動取引装置のように、受渡搬送部筐体に、左右方向に受部が受渡搬送部毎に所定間隔でずれるよう可動ガイドと連結され上部ユニット引出状態において引出方向に回動する回転制御レバーを取り付けると共に、振分搬送部筐体に、左右方向に押付部が受部の間隔と同じ間隔でずれるよう押付アームを設け、振分搬送部を有する上部ユニットの収納時に保守作業者に装置筐体内に押し込まれるだけで、その押し込みによる振分搬送部の移動により、当該振分搬送部の複数の押付アームの押付部をそれぞれ対応する回転制御レバーの受部に押し付けて、可動ガイドを、振分搬送部固定ガイドの位置に応じた角度まで一括して回動させるものがある。
【００７７】
しかしながらこの場合、受渡搬送部の個数が多いほど左右方向の空間が必要となるため、現金自動取引装置が大型化してしまう。また保守時に受渡搬送部を交換する際に、複数の取付孔部のうちの保守対象となっている受渡搬送部を固定する取付孔部に応じた回転制御レバーが設けられた受渡搬送部を固定しないと、受渡搬送部が破損してしまう可能性がある。
【００７８】
これに対し本実施の形態の現金自動取引装置１は、受渡搬送部３３乃至３８毎に左右方向の位置がずれることなく、全ての受渡搬送部３３乃至３８に対しスライド方向に沿った位置に振分搬送部筐体窪み２７Ｃ及び上側位置出しローラ４８Ｔが設けられている。このため現金自動取引装置１は、左右方向に大きな空間を必要とせず、装置が大型化することを抑止できる。また現金自動取引装置１は、保守時に受渡搬送部３３乃至３８を交換しても、全ての受渡搬送部３３乃至３８の上側位置出し部４５Ｔが同様に構成されているため、受渡搬送部３３乃至３８が破損してしまう可能性をなくすことができる。
【００７９】
以上の構成によれば、現金自動取引装置１は、所定の搬送路幅を空けて対向する互いに平行な一対の接続対象搬送路ガイド面である振分搬送部前側ガイド面５４ＳＦ及び振分搬送部後側ガイド面５４ＳＢと収納庫前側ガイド面５６ＳＦ及び収納庫後側ガイド面５６ＳＢとによりそれぞれ紙葉類としての紙幣の搬送路が形成された一対の接続側搬送ガイドである振分搬送部固定ガイド５４と収納庫固定ガイド５６と、振分搬送部固定ガイド５４及び収納庫固定ガイド５６の搬送路幅と同等の搬送路幅を空けて対向する互いに平行なガイド面である前側ガイド面５８ＳＦ及び後側ガイド面５８ＳＢの間に紙幣の搬送路が形成され、振分搬送部固定ガイド５４及び収納庫固定ガイド５６の端部と紙幣の搬送方向の一端部が嵌合する一対の搬送ガイドである可動ガイド５８と、可動ガイド５８を振分搬送部固定ガイド５４及び収納庫固定ガイド５６の位置に応じて、搬送路幅を保ちつつ前側ガイド面５８ＳＦ及び後側ガイド面５８ＳＢの互いの平行を保ったまま回動可能に支持する支持部である可動ガイド支持部６０とを設けるようにした。
【００８０】
これにより現金自動取引装置１は、受渡搬送路３３Ａ乃至３８Ａに対する振分搬送路２６Ａ又は収納庫搬送路１９ＡＸ乃至２４ＡＸの位置ずれにより、前側可動ガイド５８Ｆ及び後側可動ガイド５８Ｂを前側や後側へ傾けた姿勢で振分搬送部固定ガイド５４及び収納庫固定ガイド５６と嵌合させても、振分搬送路２６Ａ、受渡搬送路３３Ａ乃至３８Ａ及び収納庫搬送路１９ＡＸ乃至２４ＡＸを、互いに搬送路幅を変化させずに接続することにより、受渡搬送路３３Ａ乃至３８Ａの搬送路幅が振分搬送路２６Ａ及び収納庫搬送路１９ＡＸ乃至２４ＡＸよりも狭くなることと、接続部分内に段差や凹みが形成されることとを確実に防止することができる。
【００８１】
［２．第２の実施の形態］
［２−１．現金自動取引装置の構成］
図１及び図２に示すように、第２の実施の形態による現金自動取引装置１０１は、第１の実施の形態による現金自動取引装置１と比較して、振分搬送部１２６、連結部１３０の受渡搬送部１３３乃至１３８及び収納庫装填ケース１１６が、振分搬送部２６、連結部３０の受渡搬送部３３乃至３８及び収納庫装填ケース１６と相違するものの、それ以外は同様に構成されている。
【００８２】
［２−２．連結部の構成］
連結部１３０は、連結筐体３１（図示せず）に受渡搬送部１３３乃至１３８が後方向に沿って順に取り付けられている。受渡搬送部１３３乃至１３８は基本的には同様に構成されているため、以下では受渡搬送部１３４の構成について説明する。図１５に示すように上側位置出し部１４５Ｔは、振分搬送部１２６の上側付勢部１４６Ｔと、受渡搬送部１３４における左側ブラケット１３２Ｌのブラケット上側窪み１３２ＴＣとにより構成され、下側位置出し部１４５Ｄは、収納庫装填ケース１１６の下側付勢部１４６Ｄと、受渡搬送部１３４における左側ブラケット１３２Ｌのブラケット下側窪み１３２ＤＣとにより構成されている。
【００８３】
上側付勢部１４６Ｔは、上側支持部（図示せず）、上側位置出しローラ１４８Ｔ、上側位置出しローラシャフト１４９Ｔ及び上側スプリング（図示せず）により構成されている。上側位置出しローラ１４８Ｔは、受渡搬送部筐体４２に向かう下方向へ図示しない上側スプリングにより付勢されつつ、上側位置出しローラシャフト１４９Ｔが振分搬送部筐体１２７に穿設された図示しない上側支持部孔に対し摺動可能に支持されて受渡搬送部筐体４２に対し離接する方向へ移動可能であり、且つ側面視において上側位置出しローラシャフト１４９Ｔを中心に回転自在に構成されている。下側付勢部１４６Ｄは、上側付勢部１４６Ｔに対し受渡搬送部筐体シャフト４４を中心として点対称に構成されているためその説明を省略するが、下側位置出しローラ１４８Ｄが、受渡搬送部筐体４２に向かう上方向へ付勢されつつ、受渡搬送部筐体４２に対し離接する方向へ移動可能であり、且つ側面視において下側位置出しローラシャフト１４９Ｄを中心に回転自在に構成されている。
【００８４】
受渡搬送部１３３乃至１３８は、上側位置出しローラ１４８Ｔをブラケット上側窪み１３２ＴＣの上端面に押し付けることにより、当該受渡搬送部１３３乃至１３８に対し振分搬送部１２６を位置決めする。また受渡搬送部１３３乃至１３８は、下側位置出しローラ１４８Ｄをブラケット下側窪み１３２ＤＣの下端面に押し付けることにより、当該受渡搬送部１３３乃至１３８に対し収納庫装填ケース１１６を位置決めする。
【００８５】
また受渡搬送部１３３乃至１３８は、上側位置出しローラ１４８Ｔがブラケット上側窪み１３２ＴＣに嵌り込んだ状態において、上部ユニット１３に対しスライド方向に沿って所定以上の力が加わった場合、上側スプリング（図示せず）を圧縮し上側位置出しローラ１４８Ｔを受渡搬送部筐体４２から離隔する方向へ移動させることにより、当該上側位置出しローラ１４８Ｔをブラケット上側窪み１３２ＴＣから外し、金庫天板１５Ｔの上端面に当接させる。さらに受渡搬送部１３３乃至１３８は、下側位置出しローラ１４８Ｄがブラケット下側窪み１３２ＤＣに嵌り込んだ状態において、収納庫装填ケース１１６に対しスライド方向に沿って所定以上の力が加わった場合、下側スプリング（図示せず）を圧縮し下側位置出しローラ１４８Ｄを受渡搬送部筐体４２から離隔する方向へ移動させることにより、当該下側位置出しローラ１４８Ｄをブラケット下側窪み１３２ＤＣから外し、金庫天板１５Ｔの下端面に当接させる。
【００８６】
このように連結部１３０は、受渡搬送部１３３乃至１３８それぞれのブラケット上側窪み１３２ＴＣに、対応する上側位置出しローラ１４８Ｔを係合させることにより、上部ユニット収納状態において連結部１３０に対し振分搬送部１２６を位置決めする。また連結部１３０は、受渡搬送部１３３乃至１３８それぞれのブラケット下側窪み１３２ＤＣに、対応する下側位置出しローラ１４８Ｄを係合させることにより、収納庫装填ケース収納状態において連結部１３０に対し収納庫装填ケース１１６を位置決めする。
【００８７】
ところで一般的に、金庫筐体１５の表面は、振分搬送部筐体１２７及び収納庫装填ケース１１６の表面よりもざらついていることが多い。現金自動取引装置１０１においては、振分搬送部１２６及び収納庫装填ケース１１６の出し入れの際、上側位置出しローラ１４８Ｔ及び下側位置出しローラ１４８Ｄが金庫筐体１５の表面に接触しつつ転がるため、現金自動取引装置１のように上側位置出しローラ４８Ｔ及び下側位置出しローラ４８Ｄが振分搬送部筐体２７及び収納庫装填ケース１６の表面に接触しつつ転がる場合よりも、上側位置出しローラ１４８Ｔ及び下側位置出しローラ１４８Ｄの消耗が早い可能性がある。
【００８８】
また、現金自動取引装置１のように受渡搬送部筐体４２に設けられた上側位置出しローラ４８Ｔを振分搬送部筐体２７に、受渡搬送部筐体４２に設けられた下側位置出しローラ４８Ｄを収納庫装填ケース１６にそれぞれ当接させる場合と比べて、現金自動取引装置１０１は、振分搬送部筐体１２７に設けられた上側位置出しローラ１４８Ｔをブラケット上側窪み１３２ＴＣに、収納庫装填ケース１１６に設けられた下側位置出しローラ１４８Ｄをブラケット下側窪み１３２ＤＣに当接させるため、受渡搬送部筐体シャフト４４に対する上側位置出しローラ１４８Ｔとブラケット上側窪み１３２ＴＣとの接触点との距離と、下側位置出しローラ１４８Ｄとブラケット下側窪み１３２ＤＣとの接触点との距離は、現金自動取引装置１における上側位置出しローラ４８Ｔと振分搬送部筐体窪み２７Ｃとの接触点との距離と、下側位置出しローラ４８Ｄと収納庫装填ケース窪み１６Ｃとの接触点との距離よりも短くなる。すなわち現金自動取引装置１０１においては、現金自動取引装置１よりも受渡搬送部筐体４２の回転中心（受渡搬送部筐体シャフト４４）に近い位置で、可動ガイド５８の回動角度を設定することになる。このため現金自動取引装置１０１よりも現金自動取引装置１の方が、受渡搬送部筐体４２の回転中心から遠い位置で可動ガイド５８の回動角度を設定することができるため、可動ガイド５８の回動角度の誤差を小さくし、可動ガイド５８を、振分搬送部固定ガイド５４及び収納庫固定ガイド５６の位置まで正確に回動させることができる。
【００８９】
［３．他の実施の形態］
［３−１．他の実施の形態１］
なお上述した第１の実施の形態においては、上側位置出し部４５Ｔにおいて、上側位置出しローラ４８Ｔを振分搬送部筐体窪み２７Ｃに嵌合させる場合について述べた。本発明はこれに限らず、図１６に示す上側位置出し部２４５Ｔのように、上端部が振分搬送部筐体窪み２７Ｃに嵌合する側面視ホームベース形状であり、圧縮スプリングにより振分搬送部筐体２７に向かう上方向へ付勢され、当該振分搬送部筐体２７から離隔する方向へ移動可能な上側位置出し突起６１Ｔを設けても良い。下側位置出し部２４５Ｄについても、受渡搬送部筐体シャフト４４を中心に上側位置出し部２４５Ｔと点対称に構成された下側位置出し突起６１Ｄを設けて良い。
【００９０】
［３−２．他の実施の形態２］
また図１７に示す上側位置出し部３４５Ｔのように、振分搬送部後側固定ガイド５４Ｂ及び振分搬送部前側固定ガイド５４Ｆの下端部における櫛歯形状の先端部と、後側可動ガイド５８Ｂ及び前側可動ガイド５８Ｆの櫛歯形状のうち振分搬送部後側固定ガイド５４Ｂ及び振分搬送部前側固定ガイド５４Ｆの先端部と対向する箇所とに互いに吸着する上側磁石６２Ｔを設け、収納庫後側固定ガイド５６Ｂ及び収納庫前側固定ガイド５６Ｆの上端部における櫛歯形状の先端部と、後側可動ガイド５８Ｂ及び前側可動ガイド５８Ｆの櫛歯形状のうち収納庫後側固定ガイド５６Ｂ及び収納庫前側固定ガイド５６Ｆの先端部と対向する箇所とに互いに吸着する下側磁石６２Ｄを設けても良い。
【００９１】
［３−３．他の実施の形態３］
また上述した実施の形態においては、装置筐体２の前面を覆う装置筐体前扉２Ａと、金庫筐体１５の前面を覆う金庫筐体前扉１５Ｂとを開閉可能に設け、装置筐体前扉２Ａを開放した際に上部ユニット１３を、装置筐体前扉２Ａ及び金庫筐体前扉１５Ｂを開放した際に収納庫装填ケース１６を、引出方向としての前方向に引き出し可能にする場合について述べた。本発明はこれに限らず、図１８に示す現金自動取引装置２０１のように、装置筐体２の後面を覆う装置筐体後扉２Ｂと、金庫筐体１５の後面を覆う金庫筐体後扉（図示せず）とを開閉可能に設け、装置筐体後扉２Ｂを開放した際に上部ユニット１３を、装置筐体後扉２Ｂ及び金庫筐体後扉を開放した際に収納庫装填ケース１６を、引出方向としての後方向に引き出し可能にしても良い。又は、装置筐体前扉２Ａ及び装置筐体後扉２Ｂの両方と、金庫筐体前扉１５Ｂ及び金庫筐体後扉の両方とが設けられた現金自動取引装置に対し本発明を適用しても良い。
【００９２】
ところで通常、現金自動取引装置は設置される環境に応じて、装置筐体前扉か装置筐体後扉かの何れかが設けられた装置筐体が選択され、金庫筐体前扉か金庫筐体後扉かの何れかが設けられた金庫筐体が選択される。
【００９３】
ここで、上述したように特開２０１３−２４２６０８号公報に示す現金自動取引装置のように、受渡搬送部筐体に、左右方向に受部が受渡搬送部毎に所定間隔でずれるよう可動ガイドと連結され上部ユニット引出状態において引出方向に回動する回転制御レバーを取り付けると共に、振分搬送部筐体に、左右方向に押付部が受部の間隔と同じ間隔でずれるよう押付アームを設け、振分搬送部を有する上部ユニットの収納時に保守作業者に装置筐体内に押し込まれるだけで、その押し込みによる振分搬送部の移動により、当該振分搬送部の複数の押付アームの押付部を、それぞれ対応する回転制御レバーの受部に押し付けて可動ガイドを、振分搬送部固定ガイドの位置に応じた角度まで一括して回転させるものがある。
【００９４】
このためこのような現金自動取引装置では、上部ユニット引出状態において引出方向に回動している回転制御レバーを、上部ユニットの収納時に回動させるため、装置筐体前扉が設けられている現金自動取引装置（以下では前開き現金自動取引装置とも呼ぶ）に対しては、前開き現金自動取引装置専用の回転制御レバーが取り付けられた受渡搬送部を用意し、装置筐体後扉が設けられている現金自動取引装置（以下では後開き現金自動取引装置とも呼ぶ）に対しては、後開き現金自動取引装置専用の回転制御レバーが取り付けられた受渡搬送部を用意する必要がある。すなわち上部ユニットの引出方向に応じた専用設計の受渡搬送部を用意する必要がある。
【００９５】
これに対し第１の実施の形態の現金自動取引装置１は、位置出し部４５の機構の構成を前後対称に設け、振分搬送部筐体窪み２７Ｃに上側位置出しローラ４８Ｔが嵌り込むことにより、位置出しを行うようにした。このため現金自動取引装置１は、前開き現金自動取引装置と後開き現金自動取引装置との何れに対しても一種類の受渡搬送部を設けるだけでよく、上部ユニットの引出方向に応じた専用設計の受渡搬送部を用意する必要がない。
【００９６】
［３−４．他の実施の形態４］
さらに上述した第１の実施の形態においては、位置出し部４５として、上側位置出し部４５Ｔと下側位置出し部４５Ｄとの両方を設ける場合について述べた。本発明はこれに限らず、上側位置出し部４５Ｔか下側位置出し部４５Ｄかの何れか一方のみを設けても良い。第２の実施の形態においても同様である。
【００９７】
［３−５．他の実施の形態５］
さらに上述した第１の実施の形態においては、左側位置出し部４５Ｌと右側位置出し部４５Ｒとの両方を設ける場合について述べた。本発明はこれに限らず、左側位置出し部４５Ｌか右側位置出し部４５Ｒかの何れか一方のみを設けても良い。第２の実施の形態においても同様である。
【００９８】
［３−６．他の実施の形態６］
さらに上述した第１の実施の形態においては、収納庫装填ケース１６に設けた収納庫装填ケース窪み１６Ｃに下側位置出しローラ４８Ｄを嵌合させる場合について述べた。本発明はこれに限らず、リジェクト庫１９及び紙幣収納庫２０乃至２４に設けた窪みに下側位置出しローラ４８Ｄを嵌合させても良い。
【００９９】
［３−７．他の実施の形態７］
さらに上述した実施の形態においては、互いに一体化して形成された前側可動ガイド５８Ｆと後側可動ガイド５８Ｂとが、受渡搬送部筐体シャフト４４を軸に回動する場合について述べた。本発明はこれに限らず、要は、前側ガイド面５８ＳＦと後側ガイド面５８ＳＢとの平行関係及び搬送路幅を保ちつつ回動する構成であれば良い。
【０１００】
［３−８．他の実施の形態８］
さらに上述した第１の実施の形態においては、振分搬送部２６の複数の搬送路接続部分にそれぞれ振分搬送部固定ガイド５４を固設し、複数の受渡搬送部３３乃至３８に搬送路幅と前側可動ガイド５８Ｆ及び後側可動ガイド５８Ｂとの平行関係とを保ちつつ回動可能な可動ガイドを設けるようにした場合について述べた。本発明はこれに限らず、振分搬送部２６の複数の搬送路接続部分に、それぞれ搬送路幅と振分搬送部前側固定ガイド及び振分搬送部後側固定ガイドとの平行関係とを保ちつつ回動可能な振分搬送部固定ガイドを設け、複数の受渡搬送部３３乃至３８に前側可動ガイド５８Ｆ及び後側可動ガイド５８Ｂに換えて一対の搬送ガイドを固設するようにしても良い。可動ガイド５８と収納庫固定ガイド５６とについても同様である。
【０１０１】
［３−９．他の実施の形態９］
さらに上述した実施の形態においては、現金を取引する現金自動取引装置１及び１０１において、媒体としての紙幣を搬送する場合に本発明を適用する場合について述べた。本発明はこれに限らず、例えば商品券や金券、入場券等のような薄い紙状の媒体を搬送する種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０１０２】
［３−１０．他の実施の形態１０］
さらに上述した実施の形態においては、搬送ガイドとしての可動ガイド５８と、支持部としての可動ガイド支持部６０とによって、紙葉類搬送装置としての連結部３０を構成する場合について述べた。本発明はこれに限らず、その他種々の構成でなる搬送ガイドと、支持部とによって、紙葉類搬送装置を構成しても良い。
【０１０３】
［３−１１．他の実施の形態１１］
さらに上述した実施の形態においては、接続側搬送ガイドとしての振分搬送部固定ガイド５４及び収納庫固定ガイド５６と、搬送ガイドとしての可動ガイド５８と、支持部としての可動ガイド支持部６０とによって、紙葉類取扱装置としての現金自動取引装置１を構成する場合について述べた。本発明はこれに限らず、その他種々の構成でなる接続側搬送ガイドと、搬送ガイドと、支持部とによって、現金自動取引装置１を構成しても良い。
【産業上の利用可能性】
【０１０４】
本発明は、紙幣、切符、チケット、コピー用紙、葉書、有価証券等の紙葉類を搬送する紙葉類搬送装置と、紙葉類搬送装置によって搬送される紙幣、切符、チケット、コピー用紙、葉書、有価証券等の紙葉類を取り扱う紙葉類取扱装置とに利用することができる。
【符号の説明】
【０１０５】
１、１０１、２０１……現金自動取引装置、２……装置筐体、２Ａ……装置筐体前扉、２Ｂ……装置筐体後扉、３……フロントパネル、３Ａ……上向パネル、３Ｂ……前向パネル４……操作表示部、５……紙幣投入取出部、７……通帳挿入排出口、８……カード挿入排出口、１０……制御部、１１……紙幣処理機、１２……下部ユニット、１３……上部ユニット、１５……金庫筐体、１５Ｔ……金庫天板、１５ＴＡ……連結孔部、１５Ｂ……金庫筐体前扉、１６、１１６……収納庫装填ケース、１６Ｒ……右側板、１６Ｌ……左側板、１６Ｂ……後板、１６Ｆ……前板、１６Ｃ……収納庫装填ケース窪み、１９……リジェクト庫、２０〜２４……紙幣収納庫、１９Ａ〜２４Ａ……収納庫搬送部、１９ＡＸ〜２４ＡＸ……収納庫搬送路、２５……上部筐体、２５Ａ……上部筐体搬送路、２６、１２６……振分搬送部、２６Ａ……振分搬送路、２７、１２７……振分搬送部筐体、２７Ｒ……右側板、２７Ｌ……左側板、２７Ｂ……後板、２７Ｆ……前板、２７Ｔ……天板、２７Ｃ……振分搬送部筐体窪み、２８……鑑別部、２９……一時保留部、３０、１３０……連結部、３１……連結筐体、３１Ａ……取付部、３１ＡＡ……取付孔部、３２Ｌ、１３２Ｌ……左側ブラケット、３２ＬＨ……左側ブラケット孔部、３２Ｒ……右側ブラケット、３２ＲＨ……右側ブラケット孔部、１３２ＴＣ……ブラケット上側窪み、１３２ＤＣ……ブラケット下側窪み、３３〜３８、１３３〜１３８……受渡搬送部、３３Ａ〜３８Ａ……受渡搬送路、４０……上側スライドレール、４１……下側スライドレール、４２……受渡搬送部筐体、４２Ｌ……左側板、４２Ｒ……右側板、４２Ｂ……後側板、４２Ｆ……前側板、４４Ｌ……受渡搬送部筐体左側シャフト、４４Ｒ……受渡搬送部筐体右側シャフト、４４……受渡搬送部筐体シャフト、４５、１４５……位置出し部、４５Ｌ……左側位置出し部、４５Ｒ……右側位置出し部、４５Ｔ、１４５Ｔ、２４５Ｔ、３４５Ｔ……上側位置出し部、４５Ｄ、１４５Ｄ、２４５Ｄ、３４５Ｄ……下側位置出し部、４６Ｔ、１４６Ｔ……上側付勢部、４６Ｄ、１４６Ｄ……下側付勢部、４７Ｔ……上側支持部、４８Ｔ、１４８Ｔ……上側位置出しローラ、４９Ｔ、１４９Ｔ……上側位置出しローラシャフト、５０Ｔ……上側スプリング、５１Ｔ……シャフト支持板、５１ＨＴ……上側支持部孔、４７Ｄ……下側支持部、４８Ｄ、１４８Ｄ……下側位置出しローラ、４９Ｄ、１４９Ｄ……下側位置出しローラシャフト、５０Ｄ……下側スプリング、５１Ｄ……シャフト支持板、５１ＨＤ……下側支持部孔、５４Ｆ……振分搬送部前側固定ガイド、５４Ｂ……振分搬送部後側固定ガイド、５４……振分搬送部固定ガイド５４ＳＦ……振分搬送部前側ガイド面、５４ＳＢ……振分搬送部後側ガイド面、５４Ｓ……振分搬送部ガイド面、５６Ｆ……収納庫前側固定ガイド、５６Ｂ……収納庫後側固定ガイド、５６……収納庫固定ガイド、５６ＳＦ……収納庫前側ガイド面、５６ＳＦ……収納庫後側ガイド面、５６……収納庫ガイド面、５８Ｆ……前側可動ガイド、５８ＳＦ……前側ガイド面、５８Ｂ……後側可動ガイド、５８ＳＢ……後側ガイド面、５８……可動ガイド、６０……可動ガイド支持部、６１Ｔ……上側位置出し突起、６１Ｄ……下側位置出し突起、６２Ｔ……上側磁石、６２Ｄ……下側磁石。
【図１】
0006350141.tif 000002
【図２】
0006350141.tif 000003
【図３】
0006350141.tif 000004
【図４】
0006350141.tif 000005
【図５】
0006350141.tif 000006
【図６】
0006350141.tif 000007
【図７】
0006350141.tif 000008
【図８】
0006350141.tif 000009
【図９】
0006350141.tif 000010
【図１０】
0006350141.tif 000011
【図１１】
0006350141.tif 000012
【図１２】
0006350141.tif 000013
【図１３】
0006350141.tif 000014
【図１４】
0006350141.tif 000015
【図１５】
0006350141.tif 000016
【図１６】
0006350141.tif 000017
【図１７】
0006350141.tif 000018
【図１８】
0006350141.tif 000019